(57)【要約】【課題】  より利便性が高い電力管理装置、電力管理システム、及び電力管理方法を提供する。【解決手段】  一実施形態に係る電力管理装置は、第１の取得部と、第２の取得部と、判断部とを具備する。第１の取得部は、商用電源に接続された主幹回路から分岐された分岐回路または前記主幹回路を計測の対象回路として計測電流波形を取得する。第２の取得部は、第１の電気機器の機器情報と前記第１の電気機器の登録電流波形とが対応付けられた登録情報から、前記対象回路に接続されている前記第１の電気機器の機器情報に対応する登録電流波形を取得する。判断部は、前記計測電流波形と前記登録電流波形とを比較することにより、前記対象回路に前記機器情報を取得することができない、または登録情報に未登録の第２の電気機器が接続されているか否かを判断する。【選択図】      図１
2017017777.tif 000002
【特許請求の範囲】
【請求項１】
商用電源に接続された主幹回路から分岐された分岐回路または前記主幹回路を計測の対象回路として計測電流波形を取得する第１の取得部と、
第１の電気機器の機器情報と前記第１の電気機器の登録電流波形とが対応付けられた登録情報から、前記対象回路に接続されている前記第１の電気機器の機器情報に対応する登録電流波形を取得する第２の取得部と、
前記計測電流波形と前記登録電流波形とを比較することにより、前記対象回路に前記機器情報を取得することができない、または登録情報に未登録の第２の電気機器が接続されているか否かを判断する判断部と、
を具備する電力管理装置。
【請求項２】
前記計測電流波形から前記登録電流波形を減算して、前記第２の電気機器の未登録電流波形を推定する推定部をさらに具備する請求項１に記載の電力管理装置。
【請求項３】
前記登録電流波形から前記第１の電気機器の消費電力を算出し、前記未登録電流波形から前記第２の電気機器の消費電力を算出する消費電力算出部をさらに具備する請求項２に記載の電力管理装置。
【請求項４】
前記登録電流波形は、機器識別子と前記第１の電気機器の動作状態との組合せごとに登録され、
前記第２の取得部は、前記第１の電気機器の動作状態を取得し、前記第１の電気機器の動作状態と機器識別子との組合せに対応した登録電流波形を前記登録情報から取得する請求項１に記載の電力管理装置。
【請求項５】
第１の電気機器の機器情報と前記第１の電気機器の登録電流波形とが対応付けられた登録情報を記憶する記憶部と、
商用電源に接続された主幹回路を複数の分岐回路に分岐させる分電盤と、
前記分岐回路または前記主幹回路を計測の対象回路として計測電流波形を取得する電力計測部と、
前記対象回路に接続されている前記第１の電気機器の機器情報に対応する登録電流波形と、前記計測電流波形と、を比較することにより、前記対象回路に前記機器情報を取得することができない、または登録情報に未登録の第２の電気機器が接続されているか否かを判断する判断部と、
を具備する電力管理システム。
【請求項６】
第１の電気機器の機器情報と前記第１の電気機器の登録電流波形とを対応付けて登録情報として記憶し、
商用電源に接続された主幹回路から分岐された分岐回路または前記主幹回路を計測の対象回路として計測電流波形を取得し、
前記対象回路に接続されている前記第１の電気機器の機器情報に対応する登録電流波形と、前記計測電流波形と、を比較することにより、前記対象回路に前記機器情報を取得することができない、または登録情報に未登録の第２の電気機器が接続されているか否かを判断する、
電力管理方法。
【発明の詳細な説明】
【技術分野】
【０００１】
本発明の実施形態は、電力管理装置、電力管理システム、及び電力管理方法に関する。
【背景技術】
【０００２】
施設内の電気機器による消費電力量を計算し可視化するＨＥＭＳ（Home Energy Management System）などのエネルギー管理システムが実用化されている。エネルギー管理システムでは、例えば施設内の分電盤に設置された電力計測装置により、計測対象となる対象回路を流れる電流を計測し、対象回路により消費される消費電力を計算する。さらに、前記電力計測装置は、前記消費電力の情報を電力管理システムに送信することにより、施設内の消費電力量を監視可能とする。
【０００３】
上記の電力管理システムは、ＨＥＭＳに対応した電気機器がどの回路に接続されているかを認識することができる。しかし、電力管理システムは、対象回路を流れる電流を計測したとしても、ＨＥＭＳに対応していない電気機器が対象回路に接続されていることを認識することができないという課題がある。
【先行技術文献】
【特許文献】
【０００４】
【特許文献１】特開２０１４−７５９２３号公報
【発明の概要】
【発明が解決しようとする課題】
【０００５】
本発明が解決しようとする課題は、より利便性が高い電力管理装置、電力管理システム、及び電力管理方法を提供することである。
【課題を解決するための手段】
【０００６】
一実施形態に係る電力管理装置は、第１の取得部と、第２の取得部と、判断部とを具備する。第１の取得部は、商用電源に接続された主幹回路から分岐された分岐回路または前記主幹回路を計測の対象回路として計測電流波形を取得する。第２の取得部は、第１の電気機器の機器情報と前記第１の電気機器の登録電流波形とが対応付けられた登録情報から、前記対象回路に接続されている前記第１の電気機器の機器情報に対応する登録電流波形を取得する。判断部は、前記計測電流波形と前記登録電流波形とを比較することにより、前記対象回路に前記機器情報を取得することができない、または登録情報に未登録の第２の電気機器が接続されているか否かを判断する。
【発明の効果】
【０００７】
より利便性が高い電力管理装置、電力管理システム、及び電力管理方法を提供することができる。
【図面の簡単な説明】
【０００８】
【図１】図１は、一実施形態に係る電力管理システムの構成例について説明するための図である。
【図２】図２は、一実施形態に係る分電盤の構成例について説明するための図である。
【図３】図３は、一実施形態に係るホームゲートウェイ装置の構成例について説明するための図である。
【図４】図４は、一実施形態に係るサーバの構成例について説明するための図である。
【図５】図５は、一実施形態に係るサーバに記憶されている登録情報の例について説明するための図である。
【図６】図６は、一実施形態に係る電力管理システムの動作の例について説明するための図である。
【図７】図７は、一実施形態に係る電力管理システムの動作の例について説明するための図である。
【図８】図８は、一実施形態に係る電力管理システムの動作の例について説明するための図である。
【図９】図９は、一実施形態に係る電力管理システムの動作の例について説明するための図である。
【発明を実施するための形態】
【０００９】
以下で説明する実施形態に係る電力管理装置とするサーバ３またはホームゲートウェイ装置７は、制御部２３または３３を備える。第１の取得部２６を有する制御部２３または第１の取得部３４を備える制御部３３は、商用電源に接続された主幹回路から分電盤によって分岐された複数の分岐回路の１つまたは主幹回路を計測の対象である対象回路として計測された計測電流波形を取得する。第２の取得部２７を有する制御部２３または第２の取得部３５を有する制御部３３は、第１の電気機器の機器情報と第１の電気機器の電流波形である登録電流波形とが対応付けられた登録情報から対象回路に接続されている第１の電気機器の機器情報に対応する登録電流波形を取得する。判断部２８を有する制御部２３または判断部３６を有する制御部３３は、計測電流波形と登録電流波形とを比較することにより、対象回路に機器情報を取得することができない第２の電気機器が接続されているか否かを判断する。
【００１０】
また、以下で説明する実施形態に係る制御部２３または３３は、計測電流波形から登録電流波形を減算して第２の電気機器の電流波形である未登録電流波形を推定する。
【００１１】
また、以下で説明する実施形態に係る制御部２３または３３は、登録電流波形から第１の電気機器の消費電力を算出し、未登録電流波形から第２の電気機器の消費電力を算出する。
【００１２】
また、以下で説明する実施形態に係る制御部２３または３３において、登録電流波形は、機器識別子と第１の電気機器の動作状態との組合せごとに登録される。第２の取得部２７または３５は、第１の電気機器の動作状態を取得し、第１の電気機器の動作状態と機器識別子との組合せに対応した登録電流波形を登録情報から取得する。
【００１３】
また、以下で説明する実施形態に係る電力管理システム１は、記憶部２２または３２と、分電盤６と、電力計測装置１３と、制御部２３または３３と、を備える。記憶部２２または３２は、第１の電気機器の機器情報と第１の電気機器の電流波形である登録電流波形とが対応付けられた登録情報を記憶する。分電盤６は、商用電源に接続された主幹回路を複数の分岐回路に分岐させる。電力計測装置１３は、分岐回路または主幹回路を計測の対象である対象回路として電流を計測して計測電流波形を取得する。制御部２３または３３は、対象回路に接続されている第１の電気機器の機器情報に対応する登録電流波形と、計測電流波形と、を比較することにより、対象回路に機器情報を取得することができない第２の電気機器が接続されているか否かを判断する。
【００１４】
また、以下で説明する実施形態に係る電力管理方法は、第１の電気機器の機器情報と第１の電気機器の電流波形である登録電流波形とを対応付けて予め登録情報として記憶する。電力管理方法は、商用電源に接続された主幹回路から分電盤によって分岐された分岐回路または主幹回路を計測の対象である対象回路として電流を計測して計測電流波形を取得する。電力管理方法は、対象回路に接続されている第１の電気機器の機器情報に対応する登録電流波形と、計測電流波形と、を比較することにより、対象回路に機器情報を取得することができない第２の電気機器が接続されているか否かを判断する。
【００１５】
以下、図面を参照しながら、一実施形態に係る電力管理装置、電力管理システム、及び電力管理方法について詳細に説明する。
【００１６】
図１は、一実施形態に係る電力管理システム１の構成例を示す。電力管理システム１は、施設内に設置されている電気機器の消費電力の可視化及び制御を行う為のシステムである。電力管理システム１は、例えば、ＨＥＭＳ（Home  Energy  Management  System）などであり、例えばＨＥＭＳの標準プロトコルである「ＥＣＨＯＮＥＴ  Ｌｉｔｅ（登録商標）」を準拠して種々の処理を行う。
【００１７】
電力管理システム１は、ホームネットワークシステム２、サーバ３、及びユーザ端末４などを備える。ホームネットワークシステム２とサーバ３、及びユーザ端末４とサーバ３は、それぞれネットワーク５を介して互いに通信可能に構成されている。ネットワーク５は、例えばインターネットまたはイントラネットなどのネットワークである。
【００１８】
ホームネットワークシステム２は、施設内に構築され、ユーザ端末４、分電盤６、ネットワーク対応の電気機器９Ａ、及びホームゲートウェイ装置７を備える。
【００１９】
ユーザ端末４は、種々の画面表示と、ユーザによる操作の受け付けを行う。ユーザ端末４は、例えば、リモートコントローラ、タブレット端末、ＰＣ（Personal  Computer）、携帯電話機、ＰＤＡ（Personal  Data  Assistance）などである。ユーザ端末４は、無線通信または有線通信によりネットワーク５またはホームネットワークシステム２を介してサーバ３及びホームゲートウェイ装置７と通信を行うことができる。
【００２０】
ユーザ端末４は、例えば、ホームネットワークシステム２内の電気機器の消費電力のモニタリング、及びホームネットワークシステム２内の電気機器の制御を行う為のアプリケーションを有する。ユーザ端末４は、ホームゲートウェイ装置７またはサーバ３から消費電力を示すデータを受けとり、アプリケーションを用いてホームネットワークシステム２内の電気機器の消費電力を可視化する為の消費電力確認画面を表示する。また、ユーザ端末４は、アプリケーションを用いてホームネットワークシステム２内の電気機器の制御を行う為の制御画面を表示する。ユーザ端末４は、制御画面でのユーザによる操作に応じて、ホームネットワークシステム２内の電気機器を制御する為の制御信号を生成し、ホームゲートウェイ装置７に送信する。あるいは、ユーザ端末４は、既存のブラウザ機能を用いて前述のサービスを実現してもよい。たとえば、ホームゲートウェイ装置７から生成された消費電力確認画面または電気機器の制御画面を受信し、ユーザに表示してもよい。また、ユーザの操作にもとづいて対応する制御命令をホームゲートウェイ装置７に送信し、ホームゲートウェイ装置７によって生成された電気機器を制御するための制御信号を電気機器宛てに送信してもよい。
【００２１】
分電盤６は、商用電源８に接続された主幹回路を複数の分岐回路に分岐させる。図２は、分電盤６の構成例について説明する為の説明図である。分電盤６は、主幹回路に設けられた主幹ブレーカ１１、各分岐回路に設けられた分岐ブレーカ１２、電力計測装置１３を有する。
【００２２】
主幹ブレーカ１１及び分岐ブレーカ１２は、例えば二次側（下流側）の回路に過負荷または短絡などにより異常な電流が流れた場合に一次側（上流側）からの電源供給を遮断する。主幹ブレーカ１１は、主幹回路と分岐回路との分岐点と、商用電源８との間に設けられる。分岐ブレーカ１２は、主幹回路と分岐回路との分岐点と、電気機器が接続されるコンセントなどとの間に設けられる。
【００２３】
分電盤６において分岐された複数の分岐回路には、それぞれ種々の電気機器が接続されている。電気機器は、例えばエアコン、冷蔵庫、洗濯機、ＴＶ、掃除機、照明、給湯器、及び電気自動車への充電器などの種々の電気的負荷である。
【００２４】
電力計測装置１３は、計測対象の回路（対象回路）を流れる電流を計測することにより、対象回路の計測電流波形を取得する。電力計測装置１３は、取得した計測電流波形をホームゲートウェイ装置７に供給する。電力計測装置１３は、たとえば電流計測の対象となる配線に設けられた計器用変流器（ＣＴ：Ｃｕｒｅｅｎｔ  Ｔｒａｎｓｆｏｒｍｅｒ）１４により対象回路を流れる電流を所定期間、たとえば所定のサイクル数計測する。電流計測の対象となる対象回路は、主幹回路、または各分岐回路などである。対象回路に１つの電気機器が接続されている場合、電力計測装置１３は、当該対象回路に設けたＣＴ１４による電流の計測値に基づく計測電流波形を１つの電気機器を流れる電流の電流波形として取得する。また、対象回路に複数の電気機器が接続されている場合、電力計測装置１３は、当該対象回路に設けたＣＴによる電流の計測値に基づく計測電流波形を前記複数の電気機器を流れる各電流波形の合成波として取得する。電力計測装置１３は、図示しない通信機能を介して、外部と通信する機能を有する。たとえば、電力計測装置１３は、取得した計測電流波形または所定期間内の電流値の計測結果を計測情報としてホームゲートウェイ装置７に供給する。
【００２５】
分電盤６の分岐回路に接続されている電気機器には、ＨＥＭＳに対応した電気機器９Ａと、ＨＥＭＳに対応していない電気機器９Ｂと、がある。電気機器９Ｂは、ホームゲートウェイ装置７に情報を送信することができない。電気機器９Ａは、ホームゲートウェイ装置７と互いに通信することができる。例えば、電気機器９Ａは、機器固有の識別情報である機器識別子と、自身の動作の状態を示す動作状態と、を含む機器情報をホームゲートウェイ装置７に送信することができる。
【００２６】
機器識別子は、電気機器９Ａを特定することができる情報である。機器識別子は、例えば、製品の種類毎に割り振られる型番、型番とＭＡＣアドレスとの組合せ、または型番と任意の文字列との組合せなどである。
【００２７】
動作状態は、例えばＥＣＨＯＮＥＴ  Ｌｉｔｅに規定されている電文方式で表現される、電気機器９Ａの動作状態を示す情報である。例えば、動作状態は、電気機器９Ａの電源がＯＮであるかＯＦＦであるかを示す電源状態や、電気機器９Ａが節電運転状態、または待機状態などの種々の運転状態を示すものであってもよい。より具体的には、動作状態は、電気機器９Ａがエアコンである場合、冷房、暖房、送風、除湿、設定温度、及び風量などのように、種々の状態を示すものであってもよい。
【００２８】
次に、ホームゲートウェイ装置７の構成について説明する。
【００２９】
図３は、ホームゲートウェイ装置７の構成例について説明する為のブロック図である。  
ホームゲートウェイ装置７は、ホームネットワークシステム２内の各電気機器の消費電力のモニタリングと各電気機器の制御とを行う。図３において、ホームゲートウェイ装置７は、通信部２１、記憶部２２、及び制御部２３を備える。
【００３０】
通信部２１は、宅外のネットワーク５を介してサーバ３と通信を行う。また、通信部２１は、ホームネットワークシステム２内の分電盤６、ユーザ端末４、電力計測装置１３及び各電気機器９Ａなどと通信を行う。通信部２１は、無線通信部２４、及び有線通信部２５を有する。
【００３１】
無線通信部２４は、ホームゲートウェイ装置７と無線通信を行う各機器に接続されている。例えば、無線通信部２４は、分電盤６、ユーザ端末４、及び各電気機器９Ａなどと無線通信を行う。無線通信部２４は、電波または赤外線などを送受信する送受信機などにより構成される。
【００３２】
有線通信部２５は、ホームゲートウェイ装置７と有線通信を行う各機器に接続されている。例えば、有線通信部２５は、ホームゲートウェイ装置７を図示しないルータを介して外部のネットワーク５と通信可能に接続する。また、有線通信部２５は、ＬＡＮケーブルが挿入される接続ポート、および通信回路等により構成される。
【００３３】
記憶部２２は、種々の情報を記憶する。記憶部２２は、例えば、半導体メモリ、ハードディスクドライブなどの記憶装置によって構成される。
【００３４】
制御部２３は、ＣＰＵ等のプロセッサ、プログラムメモリ、ワーキングメモリ及び各種インターフェースなどに構成される。制御部２３は、プロセッサがプログラムメモリに記憶したプログラムを実行することにより、各種の処理機能を実現する。  
例えば、制御部２３は、分電盤６内の電力計測装置１３、ユーザ端末４、及び各電気機器と送受信する情報の処理を行う。また、制御部２３は、サーバ３と送受信する情報の処理を行う。
【００３５】
制御部２３は、第１の取得部２６、第２の取得部２７、及び判断部２８を備える。第１の取得部２６は、商用電源に接続された主幹回路から分電盤６によって分岐された複数の分岐回路の１つまたは主幹回路を計測の対象である対象回路の計測結果である計測情報を取得する。例えば、第１の取得部２６は、電力計測装置１３から計測電流波形を取得する。
【００３６】
第２の取得部２７は、電気機器９Ａの機器情報と電気機器９Ａの電流波形である登録電流波形とが対応付けられた登録情報から対象回路に接続されている電気機器９Ａの機器情報に対応する登録電流波形を取得する。
【００３７】
判断部２８は、計測電流波形と登録電流波形とを比較することにより、対象回路に機器情報を取得することができない電気機器９Ｂが接続されているか否かを判断する。
【００３８】
制御部２３は、電気機器９Ａから送信された機器情報から電気機器９Ａの機器識別子、及び動作状態を認識する。また、制御部２３は、サーバから受信する情報と、分電盤６の電力計測装置１３から取得した計測電流波形と、に基づいて、ホームネットワークシステム２内の各電気機器の消費電力を算出する。制御部２３は、機器識別子に動作状態、設置場所、及び消費電力を対応付けて機器リストを生成し、記憶部２２に記憶する。即ち、制御部２３は、機器情報に設置場所及び消費電力を対応付けて機器リストを生成する。また、制御部２３は、機器情報、及び算出された消費電力に基づいて、機器リストを更新する。
【００３９】
機器リストは、機器識別子、動作状態、設置場所、消費電力を有する。設置場所は、たとえば分電盤６により分岐された複数の分岐回路のうちの電気機器９Ａが接続されている分岐回路を特定することができる情報である。また例えば、設置場所は、リビング、玄関などの電気機器９Ａが設置されている場所を示す情報である。制御部２３は、ユーザ端末４によりユーザが入力した情報をユーザ端末から取得し、取得した情報に基づいて設置場所を設定する。消費電力は、上記のように制御部２３により算出された電気機器の消費電力である。
【００４０】
制御部２３は、機器リストをユーザ端末４に送信することにより、消費電力確認画面及び制御画面をユーザ端末４に表示させることができる。また、制御部２３は、消費電力確認画面及び制御画面を生成し、ユーザ端末に送信する構成であってもよい。またさらに、制御部２３は、機器リストをサーバ３に所定のタイミング（例えば周期的タイミング、または任意のタイミング）で送信する構成であってもよい。
【００４１】
次に、サーバの構成について説明する。  
サーバ３は、ＨＥＭＳに対応した電気機器９Ａに関する各種情報を管理する。例えば、サーバ３は、ネットワーク５を介してユーザ端末４から制御信号を受信した場合に、受信した制御信号をネットワーク５を介してホームゲートウェイ装置７に送信する。これにより、ホームネットワークシステム２内の電気機器９Ａを制御することができる。また、サーバ３は、ネットワーク５を介してホームゲートウェイ装置７から機器リストを取得し、ユーザ端末４に送信することができる。これにより、サーバ３は、消費電力確認画面及び制御画面をユーザ端末４に表示させることができる。サーバ３は、ホームゲートウェイ装置７から取得した機器リストを用いて消費電力確認画面及び制御画面を生成し、ユーザ端末に送信する構成であってもよい。
【００４２】
図４は、サーバ３の構成例について説明する為のブロック図である。  
図４に示す構成例において、サーバ３は、通信部３１、記憶部３２、及び制御部３３を備える。  
通信部３１は、ネットワーク５を介してホームゲートウェイ装置７及びユーザ端末４と通信を行う。
【００４３】
記憶部３２は、種々の情報を記憶する。記憶部３２は、例えば、半導体メモリ、ハードディスクドライブなどの記憶装置によって構成される。記憶部３２は、電気機器毎の登録情報を記憶する。図５は、登録情報の例を示す説明図である。登録情報は、機器識別子と、電気機器の動作状態と、登録電流波形とが対応付けられた情報である。即ち、登録情報は、機器情報に登録電流波形が対応付けられた情報である。
【００４４】
登録電流波形は、機器情報により特定される電気機器の動作状態毎の電流波形である。即ち、登録電流波形は、電気機器の機器識別子と動作状態との組合せ毎に分類されて記憶されている。また登録電流波形は、電気機器の累積稼働時間、または時間帯などに応じてさらに分類されて記憶されていてもよい。またさらに、電気機器の動作状態毎に消費電力を示す情報が対応付けられていてもよい。
【００４５】
制御部３３は、ＣＰＵ等のプロセッサ、プログラムメモリ、ワーキングメモリ及び各種インターフェースなどに構成される。制御部は、プロセッサがプログラムメモリに記憶したプログラムを実行することにより、各種の処理機能を実現する。  
例えば、制御部３３は、ホームゲートウェイ装置７及びユーザ端末４と送受信する情報の処理を行う。制御部３３は、第１の取得部３４、第２の取得部３５、及び判断部３６を備える。第１の取得部３４は、商用電源に接続された主幹回路から分電盤６によって分岐された複数の分岐回路の１つまたは主幹回路を計測の対象である対象回路の計測結果である計測情報を取得する。例えば、第１の取得部３４は、電力計測装置１３から計測電流波形をホームゲートウェイ装置７から取得する。
【００４６】
第２の取得部３５は、電気機器９Ａの機器情報と電気機器９Ａの電流波形である登録電流波形とが対応付けられた登録情報から対象回路に接続されている電気機器９Ａの機器情報に対応する登録電流波形を取得する。
【００４７】
判断部３６は、計測電流波形と登録電流波形とを比較することにより、対象回路に機器情報を取得することができない第２の電気機器が接続されているか否かを判断する。
【００４８】
例えば、制御部３３は、ホームゲートウェイ装置７から機器識別子及び動作状態と、対象回路の計測電流波形を取得する。制御部３３は、登録情報を参照することにより、取得した機器識別子及び動作状態に対応した登録電流波形を取得する。制御部３３は、計測電流波形と、対象回路に接続され且つ機器識別子及び動作状態を認識することができた電気機器９Ａの電流波形である登録電流波形とを比較することにより、機器識別子及び動作状態を認識することができない、または登録情報に未登録の電気機器９Ｂが接続されているか否かを判断する。さらに、制御部３３は、計測電流波形から登録電流波形を減算することにより、対象回路に接続されたＨＥＭＳに対応していない電気機器９Ｂ、または未登録の電気機器９Ｂを流れる電流の波形である未登録電流波形を推定することができる。
【００４９】
次に、図６乃至図９を用いて電力管理システム１の動作について説明する。  
図６は、ホームゲートウェイ装置７の機器リストを更新する動作について説明する為のフローチャートである。機器リストは、定期的に更新されてもよいし、電気機器９Ａがホームネットワークシステム２に新規参入したとき、電気機器９Ａから動作状態が変更した旨の情報を受信したとき、ユーザから消費電力の閲覧要請を受信したときなどのタイミングで更新してもよい。ホームゲートウェイ装置７の制御部２３は、電気機器９Ａから機器情報を取得する（ステップＳ１１）。制御部２３は、取得した機器情報から機器情報を送信した電気機器９Ａの機器識別子を認識する（ステップＳ１２）。制御部２３は、取得した機器情報から機器情報を送信した電気機器９Ａの動作状態を認識する（ステップＳ１３）。
【００５０】
制御部２３は、認識した動作状態に基づいて、機器リスト内の機器情報を送信した電気機器９Ａの動作状態を更新する（ステップＳ１４）。例えば、制御部２３は、機器リストのステップＳ１２で認識した機器識別子に対応付けられている動作状態にステップＳ１３で認識した動作状態を上書きする。これにより、制御部２３は、機器リストの情報を逐次更新することができる。
【００５１】
図７は、ホームゲートウェイ装置７の消費電力を算出する動作について説明する為のフローチャートである。
【００５２】
制御部２３は、電力計測装置１３から対象回路の計測電流波形を取得する（ステップＳ２１）。例えば、制御部２３は、電力計測装置１３から送信された複数の分岐回路の計測電流波形のうちの１つを対象回路として特定し、対象回路の計測電流波形を認識することにより対象回路の計測電流波形を取得する。
【００５３】
制御部２３は、対象回路に接続されている電気機器の機器識別子及び動作状態を取得する（ステップＳ２２）。即ち、制御部２３は、対象回路を特定する為の特定情報を認識し、機器リストを参照し、認識した特定情報により特定される対象回路に接続され且つＨＥＭＳに対応した電気機器９Ａを特定する。制御部２３は、特定した電気機器９Ａの機器識別子及び動作状態を取得する。
【００５４】
制御部２３は、ステップＳ２２で認識した機器識別子と動作状態と、ステップＳ２１で取得した計測電流波形と、をサーバ３に送信する（ステップＳ２３）。なお、制御部２３は、記憶部２２に格納されている機器リストを参照し、対象回路に接続されている全ての電気機器９Ａを特定し、機器識別子及び動作状態を取得し、サーバ３に送信する。なお、制御部２３は、対象回路に接続されているＨＥＭＳに対応した全ての電気機器９Ａの機器情報と、対象回路の計測電流波形とをサーバ３に送信する構成であってもよい。また、機器情報には電気機器９Ａの消費電力が含まれても良い。
【００５５】
ホームゲートウェイ装置７の制御部２３は、サーバ３から送信された電流波形を取得する（ステップＳ２４）。例えば、制御部２３は、サーバ３で対象回路に他の電気機器が接続されていると判断された場合、登録電流波形と未登録電流波形とを取得する。また、制御部２３は、サーバ３で対象回路に他の電気機器が接続されていないと判断された場合、登録電流波形を取得する。なお、サーバ３が電流波形から消費電力を算出する機能を有する場合、サーバ３から消費電力を直接取得してもよい。例えば、サーバ３が対象回路に他の電気機器が接続されていないと判断された場合、消費電力。また例えば、対象回路に他の電気機器が接続されていないと判断された場合、その旨の通知をサーバ３から取得し、対象回路の計測波形から対象回路の消費電力を算出し、電気機器９Ａの消費電力としてもよい。
【００５６】
制御部２３は、各電気機器の消費電力を算出する（ステップＳ２５）。例えば、制御部２３は、電流波形の波高値から単位時間当たりの消費電力を算出する。なお、単位時間は、如何なる単位であってもよい。具体的には、制御部２３は、登録電流波形に基づいて、対象回路に接続されている各電気機器９Ａの消費電力を算出する。また、制御部２３は、未登録電流波形に基づいて、対象回路に接続されている電気機器９Ｂの消費電力を算出する。なお、対象回路に電気機器９Ｂが複数接続されている場合、対象回路に接続されている複数の電気機器９Ｂの消費電力の合計値が算出される。
【００５７】
なお、対象回路または電気機器９Ａから当該機器の消費電力を取得できる場合、適宜計算ステップを省略してもよい。たとえば、対象回路に電気機器９Ｂが接続していると判断した場合、対象回路の消費電力から電気機器９Ａの消費電力を減算した値を、判別した電気機器９Ｂの消費電力として算出してもよい。
【００５８】
制御部２３は、ステップＳ２５で算出された消費電力を用いて機器リストを更新する（ステップＳ２６）。即ち、制御部２３は、機器リストの消費電力を示す情報にステップＳ２５で登録電流波形から算出した消費電力を上書きする。さらに、制御部２３は、電気機器９Ｂに対応した機器識別子と、分岐回路を示す情報とを電気機器９Ｂの機器情報として生成する。制御部２３は、生成した機器情報をステップＳ２５で未登録電流波形から算出した消費電力と、を対応付けて機器リストに追加する。電気機器９Ｂの機器情報は、ユーザの入力によって設定可能に構成してもよい。これにより、制御部２３は、対象回路に接続されている電気機器９Ｂの消費電力をユーザ端末４でモニタリング可能な状態にすることができる。
【００５９】
なお、電気機器９Ｂに対応した機器識別子と、分岐回路を示す情報とを電気機器９Ｂの機器情報として、サーバ３が生成し、制御部２３が取得してもよい。さらに、制御部２３は、消費電力を電力計測装置１３または電気機器９Ａから取得可能な場合、電力計測装置１３または電気機器９Ａから取得した値を用いて更新してもよい。
【００６０】
図８は、サーバ３の動作について説明する為のフローチャートである。また、図９は、計測電流波形から接続された電気機器を認識する処理を説明するための説明図である。
【００６１】
図８に示すように、サーバ３の制御部３３は、機器識別子、動作状態、及び計測電流波形をホームゲートウェイ装置７から取得する（ステップＳ３１）。図９の波形４１は、計測電流波形の例を示す。計測電流波形は、対象回路に接続されている電気機器の電流波形の合成波である。電気機器毎の消費電力を算出する為には、計測電流波形から機器毎の電流波形を取得する必要がある。
【００６２】
制御部３３は、機器識別子及び動作状態に対応した登録電流波形を登録情報から抽出する（ステップＳ３２）。図９の波形４２は、登録電流波形の例を示す。制御部３３は、登録情報を参照し、ステップＳ３１で取得した機器識別子と動作状態とに対応付けられている登録電流波形を抽出する。これにより、制御部３３は、対象回路に接続されている電気機器９Ａの登録電流波形を取得することができる。
【００６３】
制御部３３は、計測の対象である対象回路の電流の計測結果である計測電流波形と、対象回路に接続されている電気機器の電流波形である登録電流波形とを比較することにより、対象回路に機器識別子をホームゲートウェイ装置７が取得することができない、または他の未登録の電気機器が接続されているか否かを判断する（ステップＳ３３）。即ち、制御部３３は、計測電流波形と、対象回路に接続され且つ機器識別子及び動作状態を認識することができた電気機器９Ａの電流波形である登録電流波形とを比較することにより、機器識別子及び動作状態を認識することができない未登録の電気機器９Ｂ、または機器識別子及び動作状態を取得できるが、登録情報に未登録の電気機器９Ａが接続されているか否かを判断する。
【００６４】
対象回路に他の電気機器が接続されていると判断した場合（ステップＳ３３、ＹＥＳ）、制御部３３は、計測電流波形から登録電流波形を減算し、未登録電流波形を推定する（ステップＳ３４）。即ち、制御部３３は、計測電流波形からＨＥＭＳに対応した電気機器９Ａの登録電流波形を減算することにより、対象回路に接続されたＨＥＭＳに対応していない電気機器９Ｂまたは登録情報に未登録の電気機器９Ａを流れる電流の波形である未登録電流波形を推定することができる。図９の波形４３は、未登録電流波形の例を示す。
【００６５】
制御部３３は、ステップＳ３２で取得した登録電流波形と、ステップＳ３４で推定した未登録電流波形と、をホームゲートウェイ装置７に送信する（ステップＳ３５）。なお、制御部３３は、登録電流波形と機器識別子とを対応付けた状態でホームゲートウェイ装置７に送信してもよい。これにより、制御部３３は、登録電流波形がどの電気機器９Ａの電流波形であるのかをホームゲートウェイ装置７に認識させることができる。
【００６６】
また、対象回路に未登録の電気機器が接続されていないと判断した場合（ステップＳ３３、ＮＯ）、制御部３３は、ステップＳ３２で取得した登録電流波形をホームゲートウェイ装置７に送信する（ステップＳ３６）。なお、登録電流波形の代わりに、消費電力を算出し、機器情報と対応づけた状態でホームゲートウェイ装置７に送信してもよい。
【００６７】
上記した構成によると、電力管理システム１のサーバ３は、計測の対象である対象回路の電流の計測結果である計測電流波形と、対象回路に接続され且つ機器識別子及び動作状態を認識することができた電気機器の電流波形である登録電流波形とを比較することにより、機器識別子及び動作状態を認識することができない、または登録情報に未登録の電気機器が接続されているか否かを判断する。
【００６８】
これにより、サーバ３は、対象回路に機器識別子を認識することができた電気機器の他に機器識別子を認識することができないまたは登録情報に未登録の電気機器が接続されているか否かを判断することができる。即ち、サーバ３は、ＨＥＭＳに対応した電気機器が対象回路に接続されていることを認識することができる。この結果、より利便性が高い電力管理装置、電力管理システム、及び電力管理方法を提供することができる。
【００６９】
上記の実施形態では、ホームゲートウェイ装置７の制御部２３が第１の取得部２６、第２の取得部２７、及び判断部２８を備え、サーバ３の制御部３３が第１の取得部３４、第２の取得部３５、及び判断部３６を備える構成であると説明したが、この構成に限定されない。ホームゲートウェイ装置７とサーバ３とのいずれかが第１の取得部、第２の取得部、及び判断部を備える構成であればよい。即ち、ホームゲートウェイ装置７の制御部２３が第１の取得部２６、第２の取得部２７、及び判断部２８を備える構成、またはサーバ３の制御部３３が第１の取得部３４、第２の取得部３５、及び判断部３６を備える構成であれば本発明を実施することができる。
【００７０】
さらに、サーバ３は、計測の対象である対象回路の電流の計測結果である計測電流波形から、対象回路に接続されている電気機器の電流波形である登録電流波形を減算することにより、対象回路に接続され且つ型及び動作状態を認識することができないまたは登録情報に未登録の電気機器の電流波形である未登録電流波形を推定する。即ち、電力管理システム１のサーバ３は、対象回路の計測電流波形から、ホームゲートウェイ装置７において機器リストに登録されている電気機器の登録電流波形を減算することにより、機器リストに登録されていないまたは登録情報に未登録の電気機器の未登録電流波形を推定する。
【００７１】
これにより、ホームゲートウェイ装置７は、未登録電流波形から機器リストに登録されていない電気機器の消費電力を算出することができる。また、ホームゲートウェイ装置７は、登録電流波形から機器リストに登録されている電気機器毎の消費電力を算出することができる。この結果、ホームゲートウェイ装置７は、対象回路に接続されているＨＥＭＳに対応した電気機器毎の消費電力と、ＨＥＭＳに対応していないまたは登録情報に未登録の電気機器の消費電力とを算出することができる。
【００７２】
なお、上記した実施形態では、電力管理システム１は、分岐回路を対象回路として電流を計測する例について説明したが、この構成に限定されない。電力管理システム１は、主幹回路を対象回路として電流を計測する構成であってもよい。この場合、ホームゲートウェイ装置７は、主幹回路から取得した計測電流波形と、主幹回路及び主幹回路から分岐された分岐回路に接続されている電気機器９Ａの機器識別子及び動作状態と、をサーバ３に送信する。サーバ３は、受信した機器識別子及び動作状態に基づいて主幹回路及び主幹回路から分岐された分岐回路に接続されている各電気機器９Ａの登録電流波形を取得し、取得した計測電流波形から登録電流波形を減算する。これにより、サーバ３は、主幹回路及び主幹回路から分岐された分岐回路に接続されている電気機器９Ｂの未登録電流波形を推定することができる。
【００７３】
なお、サーバ３は、未登録電流波形と登録電流波形とを比較することにより、対象回路に接続されている電気機器９Ｂの型及び動作状態を推定する構成であってもよい。例えば、サーバ３は、未登録電流波形と各登録電流波形との類似度を算出し、最も類似度が高い登録電流波形に対応した機器識別子及び動作状態を特定する。サーバ３は、特定した機器識別子と動作状態と未登録電流波形とをホームゲートウェイ装置７に送信して機器リストに登録させる構成であってもよい。
【００７４】
なお、上記の実施形態では、ホームゲートウェイ装置７がサーバに計測電流波形と機器識別子と動作状態とを送信し、サーバ３が機器識別子と動作状態とに基づいて登録電流波形を特定し、計測電流波形から登録電流波形を減算することにより未登録電流波形を推定する構成であると説明したがこの構成に限定されない。ホームゲートウェイ装置７は、対象回路に接続された電気機器の機器識別子及び動作状態をサーバ３に送信することにより、サーバ３から登録電流波形を取得する構成であってもよい。この場合、ホームゲートウェイ装置７は、計測電流波形から取得した登録電流波形を減算することにより未登録電流波形を推定する。
【００７５】
また、このようにホームゲートウェイ装置７がサーバ３から登録電流波形を取得する構成である場合、ホームゲートウェイ装置７は、対象回路の計測電流波形と対象回路に接続された電気機器の登録電流波形とを比較し、差が所定以上である場合に対象回路に他の電気機器が接続されていると判断する構成であってもよい。
【００７６】
また、上記の実施形態では、ホームゲートウェイ装置７は、ユーザ端末４によりユーザが入力した情報をユーザ端末から取得し、取得した情報に基づいて機器リスト内の分岐回路を設定する構成であると説明したが、この構成に限定されない。電気機器９Ａからホームゲートウェイ装置７に送信される機器情報に設置場所を示す除法が含まれていてもよい。またさらに、ホームゲートウェイ装置７は、電気機器の種類に応じてデフォルトで設定された設置場所を機器リストに設定する構成であってもよい。
【００７７】
また、上記の実施形態では、サーバ３は、ホームゲートウェイ装置７から取得した機器識別子及び動作状態に対応する登録電流波形を登録情報から取得する構成であると説明したが、この構成に限定されない。サーバ３は、ホームゲートウェイ装置７から取得した機器識別子及び動作状態に対応する情報が登録情報として記憶されていない場合、ネットワーク５にアクセスし、ネットワーク５上から機器識別子及び動作状態に対応する登録電流波形を取得する構成であってもよい。さらに、サーバ３は、ネットワーク５から取得した登録電流波形と、機器識別子及び動作状態と、を対応付けて登録情報として登録する構成であってもよい。
【００７８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７９】
１…電力管理システム、２…ホームネットワークシステム、３…サーバ、４…ユーザ端末、５…ネットワーク、６…分電盤、７…ホームゲートウェイ装置、８…商用電源、９Ａ…電気機器、９Ｂ…電気機器、１１…主幹ブレーカ、１２…分岐ブレーカ、１３…電力計測装置、１４…計器用変流器、２１…通信部、２２…記憶部、２３…制御部、２４…無線通信部、２５…有線通信部、２６…第１の取得部、２７…第２の取得部、２８…判断部、３１…通信部、３２…記憶部、３３…制御部、３４…第１の取得部、３５…第２の取得部、３６…判断部。
【図１】
2017017777.tif 000003
【図２】
2017017777.tif 000004
【図３】
2017017777.tif 000005
【図４】
2017017777.tif 000006
【図５】
2017017777.tif 000007
【図６】
2017017777.tif 000008
【図７】
2017017777.tif 000009
【図８】
2017017777.tif 000010
【図９】
2017017777.tif 000011